(57)【要約】【課題】クリップガイドをガイドレールのガイド部に簡単に取り付けることができる取付治具を提供する。【解決手段】取付治具は、支持部７と、支持部７に設けられた接触部８及び接触部９とを備える。接触部９は、一面が接触部８の一面に対向する。取付治具を使用する場合は、接触部８の一面と接触部９の一面との間にクリップガイド６を配置した状態で、クリップガイド６の内側に形成された空間にガイド部５ｂが配置されるように接触部８によってクリップガイド６の縁部をガイド部５ｂ側に押し付ける。これにより、クリップガイド６をガイド部５ｂに固定することができる。【選択図】図８
2014065562.tif 000002
【特許請求の範囲】
【請求項１】
マンコンベアの移動手摺を案内するガイドレールのガイド部にクリップガイドを取り付けるための取付治具であって、
支持部と、
前記支持部に設けられた第１接触部と、
前記支持部に設けられ、一面が前記第１接触部の一面に対向する第２接触部と、
を備え、
前記第１接触部の前記一面と前記第２接触部の前記一面との間に前記クリップガイドが配置された状態で、前記クリップガイドの内側に形成された空間に前記ガイド部が配置されるように前記第１接触部によって前記クリップガイドの縁部を前記ガイド部側に押し付けることにより、前記クリップガイドを前記ガイド部に固定させるクリップガイドの取付治具。
【請求項２】
ガイドレールのガイド部の上面、端面及び下面を覆うように配置され、一縁部が前記ガイド部の上面側に、他縁部が前記ガイド部の下面側に配置される手摺案内部と、
前記手摺案内部の一縁部に沿って設けられ、前記手摺案内部の他縁部との間に間隙が形成された爪部と、
を備えたクリップガイドを前記ガイド部に取り付けるための取付治具であって、
支持部と、
前記支持部に設けられた第１接触部と、
前記支持部に設けられ、一面が前記第１接触部の一面に対向する第２接触部と、
を備え、
前記第１接触部の前記一面と前記第２接触部の前記一面との間に前記クリップガイドが配置されると、前記第１接触部の先端部が前記手摺案内部の一縁部に沿って配置され、前記第２接触部の先端部が前記手摺案内部の他縁部に沿って配置されるクリップガイドの取付治具。
【請求項３】
前記第１接触部は、前記支持部の一側面から突出し、
前記第２接触部は、前記第１接触部の突出方向と同じ方向に前記支持部の前記一側面から突出し、
前記第１接触部の前記支持部からの突出量は、前記第２接触部の前記支持部からの突出量より大きい
請求項１又は請求項２に記載のクリップガイドの取付治具。
【請求項４】
前記支持部は、前記一側面の端部が傾斜し、前記第１接触部の前記一面と前記第２接触部の前記一面との間に前記クリップガイドが配置された状態で前記支持部の前記一側面の中央部が前記クリップガイドに接触した際に、前記端部が前記クリップガイドに接触しない請求項３に記載のクリップガイドの取付治具。
【請求項５】
前記支持部に設けられた、作業員が持って前記クリップガイドの取付作業を行うための腕部と、
を更に備えた請求項１から請求項３の何れかに記載のクリップガイドの取付治具。
【発明の詳細な説明】
【技術分野】
【０００１】
この発明は、クリップガイドをガイドレールに取り付けるための取付治具に関するものである。
【背景技術】
【０００２】
エスカレータでは、移動手摺が、乗客が乗るステップと同期するように駆動される。移動手摺の移動（走行）は、ガイド装置によって案内される。ガイド装置として、ガイドレールとガイドレールに取り付けられたクリップガイドとを備えたものがある。
特許文献１に、クリップガイドをガイドレールに取り付けるための取付治具が開示されている。
【先行技術文献】
【特許文献】
【０００３】
【特許文献１】特開２０１１−１１６５１８号公報
【発明の概要】
【発明が解決しようとする課題】
【０００４】
特許文献１に記載された取付治具は、クリップガイドをガイドレールのガイド部に側方から挿入するためのものである。
クリップガイドには、ガイドレールのガイド部に単に差し込まれるだけでなく、ガイド部を包み込むように取り付けられるものがある。特許文献１に記載された取付治具を用いてこのようなクリップガイドをガイドレールに取り付けることはできない。また、かかるクリップガイドは、特に、クリップガイドが硬くなる冬場等にガイドレールへの取り付けが困難になる。クリップガイドをガイド部に嵌め込むために多大な時間と労力とが必要になるといった問題があった。
【０００５】
この発明は、上述のような課題を解決するためになされたもので、その目的は、クリップガイドをガイドレールのガイド部に簡単に取り付けることができる取付治具を提供することである。
【課題を解決するための手段】
【０００６】
この発明に係るクリップガイドの取付治具は、マンコンベアの移動手摺を案内するガイドレールのガイド部にクリップガイドを取り付けるための取付治具であって、支持部と、支持部に設けられた第１接触部と、支持部に設けられ、一面が第１接触部の一面に対向する第２接触部と、を備え、第１接触部の一面と第２接触部の一面との間にクリップガイドが配置された状態で、クリップガイドの内側に形成された空間にガイド部が配置されるように第１接触部によってクリップガイドの縁部をガイド部側に押し付けることにより、クリップガイドをガイド部に固定させるものである。
【０００７】
また、この発明に係るクリップガイドの取付治具は、ガイドレールのガイド部の上面、端面及び下面を覆うように配置され、一縁部がガイド部の上面側に、他縁部がガイド部の下面側に配置される手摺案内部と、手摺案内部の一縁部に沿って設けられ、手摺案内部の他縁部との間に間隙が形成された爪部と、を備えたクリップガイドをガイド部に取り付けるための取付治具であって、支持部と、支持部に設けられた第１接触部と、支持部に設けられ、一面が第１接触部の一面に対向する第２接触部と、を備え、第１接触部の一面と第２接触部の一面との間にクリップガイドが配置されると、第１接触部の先端部が手摺案内部の一縁部に沿って配置され、第２接触部の先端部が手摺案内部の他縁部に沿って配置されるものである。
【発明の効果】
【０００８】
この発明に係る取付治具を用いることにより、クリップガイドをガイドレールのガイド部に簡単に取り付けることができるようになる。
【図面の簡単な説明】
【０００９】
【図１】エスカレータの要部を示す図である。
【図２】図１のＡ−Ａ断面を示す図である。
【図３】ガイド装置を示す分解構成図である。
【図４】この発明の実施の形態１における取付治具を示す正面図である。
【図５】この発明の実施の形態１における取付治具を示す平面図である。
【図６】この発明の実施の形態１における取付治具を示す側面図である。
【図７】この発明の実施の形態１における取付治具の使用方法を説明するための図である。
【図８】この発明の実施の形態１における取付治具の使用方法を説明するための図である。
【図９】この発明の実施の形態１における取付治具の使用方法を説明するための図である。
【図１０】この発明の実施の形態１における取付治具の使用方法を説明するための図である。
【図１１】取付治具の他の例を示す正面図である。
【発明を実施するための形態】
【００１０】
添付の図面を参照して、本発明を詳細に説明する。各図では、同一又は相当する部分に、同一の符号を付している。重複する説明は、適宜簡略化或いは省略する。
【００１１】
実施の形態１．
図１はエスカレータの要部を示す図である。具体的に、図１は、エスカレータの下部乗降口と下部乗降口から上方に延びる部分とを示している。図２は図１のＡ−Ａ断面を示す図である。
先ず、図１乃至図３を参照し、エスカレータの構成について説明する。
【００１２】
ステップ１は、エスカレータの乗客が上下階床間を移動する際に乗るためのものである。移動手摺２は、ステップ１に乗降する乗客及びステップ１上の乗客が安全のために掴むためのものである。移動手摺２は、ステップ１と同期するように駆動される。
【００１３】
ステップ１の両側方に、欄干３が設けられる。欄干３は、例えば、ガラスパネルからなる。欄干３の縁部に、ガイド装置４が設けられる。ガイド装置４は、移動手摺２の往路側の移動（走行）を案内するための装置である。移動手摺２は、全体として環状に形成される。移動手摺２は、上下乗降口で上下に反転され、欄干３を周回するように移動する。本実施の形態においては、移動手摺２のうち、乗客が触れることができる部分のことを往路側という。
【００１４】
図２に示すように、移動手摺２は、横断面（長手と直交する方向の断面）がＣ字状を呈する。ガイド装置４は、移動手摺２の内側に形成された面（内側表面）に接触して、移動手摺２を案内する。
【００１５】
図３はガイド装置を示す分解構成図である。図３に示すように、ガイド装置４は、ガイドレール５とクリップガイド６とを備える。
ガイドレール５は、移動手摺２の移動を案内する長尺のレール部材からなる。ガイドレール５は、例えば、板状の部材が所定の形状に折り曲げられることによって形成される。例えば、ガイドレール５の横断面（長手と直交する方向の断面）は、どの位置でも同じ形状を呈する。ガイドレール５は、固定部材（図示せず）等を介して欄干３に固定される。ガイドレール５は、欄干３の縁部に沿って配置される。
【００１６】
図２及び図３は、ガイドレール５の一例を示している。ガイドレール５は、横断面がＵ字状を呈する支持部５ａを備える。この支持部５ａが欄干３に固定される。また、ガイドレール５は、両側の縁部が外向きに折り曲げられることによって形成されたガイド部５ｂを備える。ガイド部５ｂは、支持部５ａの各上端部から外向き（側方）に突出するように平坦に形成される。
【００１７】
クリップガイド６は、移動手摺２に実際に接触する部分である。クリップガイド６は、移動手摺２を保護するため及び摩擦係数を低減させるためにガイドレール５に設けられる。クリップガイド６は、例えば、長尺の樹脂部材（ＭＣナイロン等）からなる。クリップガイド６は、ガイドレール５の各ガイド部５ｂに取り付けられ、ガイドレール５の長手方向に沿って配置される。クリップガイド６は、ガイドレール５に取り付けられることにより、移動手摺２の内側表面に対向するように配置される。
【００１８】
クリップガイド６は、自身の弾性力によってガイド部５ｂを挟み込み、ガイドレール５に取り付けられる。クリップガイド６をガイドレール５に取り付けるためにネジ等の締結部材は使用されない。クリップガイド６がガイドレール５に適切に取り付けられると、クリップガイド６は、図２に示す断面においてガイドレール５のガイド部５ｂに四方（図２では上下左右）から対向し、ガイド部５ｂを包み込むように配置される。
【００１９】
具体的に、クリップガイド６は、手摺案内部６ａ及び爪部６ｂによって構成される。
手摺案内部６ａは、移動手摺２に接触し得る部分を構成する。手摺案内部６ａは、例えば、横断面（長手と直交する方向の断面）が横向きのＪ字状を呈する。手摺案内部６ａは、ガイド部５ｂの上面及び端面の各全体と下面の一部とを覆うように配置される。手摺案内部６ａがガイド部５ｂに対して適切に配置されると、手摺案内部６ａの一縁部がガイド部５ｂの上面側に、手摺案内部６ａの他縁部がガイド部５ｂの下面側に配置される。
【００２０】
爪部６ｂは、クリップガイド６がガイドレール５のガイド部５ｂから外れてしまうことを防止するためのものである。即ち、爪部６ｂは、クリップガイド６の外れ止めの役割を果たす。
【００２１】
爪部６ｂは、手摺案内部６ａの一縁部に、その長手に沿って設けられる。爪部６ｂは、手摺案内部６ａの一縁部の内側表面から手摺案内部６ａの他縁部側に突出するように形成される。爪部６ｂと手摺案内部６ａの他縁部との間に、一定の幅を有する間隙がその長手に渡って形成される。クリップガイド６がガイドレール５に適切に取り付けられると、爪部６ｂの表面の一部が、ガイドレール５の支持部５ａの上端に、支持部５ａの中央部側から対向して接触する。このため、クリップガイド６が外向きに力を受けても、爪部６ｂが支持部５ａの上端に引っ掛かり、クリップガイド６がガイドレール５から外れることはない。
【００２２】
次に、クリップガイド６をガイドレール５（具体的には、ガイドレール５のガイド部５ｂ）に取り付けるための取付治具について説明する。
図４はこの発明の実施の形態１における取付治具を示す正面図である。図５はこの発明の実施の形態１における取付治具を示す平面図である。図６はこの発明の実施の形態１における取付治具を示す側面図である。
【００２３】
上述したように、クリップガイド６をガイドレール５に取り付けるためにネジ等は使用されない。作業員は、クリップガイド６を変形させて、クリップガイド６の内側に形成された空間にガイドレール５のガイド部５ｂを配置する。この時、作業員は、図４乃至図６に示す取付治具を使用する。
【００２４】
取付治具は、支持部７、接触部８及び９、腕部１０を備える。
支持部７は、例えば、板状或いはブロック状を呈する鉄製の部材からなる。支持部７の一側面は、両端部が中央部に対して傾斜する。この傾斜は、例えば、支持部７が板状を呈する場合、支持部７の両端部を他側面側に折り曲げることによって形成される。
【００２５】
接触部８は、クリップガイド６をガイドレール５に取り付ける際にクリップガイド６に接触する部分である。接触部８は、板状或いはブロック状を呈する硬質樹脂製の部材からなる。接触部８は、支持部７の一側面に、固定具１１ａを用いて設けられる。固定具１１ａは、例えば、Ｍ８以上のボルトとナットとからなる。接触部８及び支持部７の各貫通孔（図示せず）に通されたボルトのネジ部にナットが締め付けられることにより、接触部８が支持部７に固定される。固定具１１ａのボルトとして、強度区分８Ｔ以上のハイテンションボルトを使用することが好ましい。
【００２６】
接触部８が図４乃至図６に示すような直方体形状を呈する場合、長辺側の端面が支持部７の一側面に対向（接触）するように、接触部８が支持部７に固定される。このため、接触部８は、支持部７の一側面から突出し、支持部７の一側面に対して直交するように配置される。
【００２７】
接触部９は、接触部８と同様に、クリップガイド６をガイドレール５に取り付ける際にクリップガイド６に接触する部分を構成する。接触部９は、板状或いはブロック状を呈する硬質樹脂製の部材からなる。接触部９は、支持部７の一側面に、固定具１１ｂを用いて設けられる。固定具１１ｂは、例えば、Ｍ８以上のボルトとナットとからなる。接触部９及び支持部７の各貫通孔（図示せず）に通されたボルトのネジ部にナットが締め付けられることにより、接触部９が支持部７に固定される。固定具１１ｂのボルトとして、強度区分８Ｔ以上のハイテンションボルトを使用することが好ましい。
【００２８】
接触部９が図４乃至図６に示すような直方体形状を呈する場合、長辺側の端面が支持部７の一側面に対向（接触）するように、接触部９が支持部７に固定される。接触部９は、接触部８が支持部７から突出する方向と同じ方向に、支持部７の一側面から突出する。接触部９は、支持部７の一側面に対して直交するように配置される。
【００２９】
接触部９は、例えば、接触部８より幅が狭い板状部材からなる。このため、接触部９が支持部７の一側面から突出する量は、接触部８が支持部７の一側面から突出する量より小さい。接触部８の突出量は、クリップガイド６の手摺案内部６ａの湾曲する部分から一縁部までの距離に合わせて設定される。接触部９の突出量は、クリップガイド６の手摺案内部６ａの湾曲する部分から他縁部までの距離に合わせて設定される。
【００３０】
また、接触部９は、一面（図４において上方を向く面）が接触部８の一面（図４において下方を向く面）に対向するように、接触部８に対して平行に配置される。接触部９と接触部８との間には、一定の幅の間隙が形成される。この間隙の幅は、クリップガイド６の厚みに合わせて設定される。
支持部７と接触部８及び９とによって形成される部材は、側方から見てコ字状を呈するように形成される。
【００３１】
腕部１０は、クリップガイド６をガイドレール５に取り付ける際に作業員が持つ部分である。腕部１０は、支持部７に設けられる。例えば、腕部１０は、Ｌ字状に形成された板状部材からなる。図４乃至図６に示す例では、腕部１０のＬ字の短辺側の部分を支持部７の他側面に対向させた状態で、固定具１１ａ及び１１ｂによって支持部７と腕部１０とを共締めし、腕部１０を支持部７に固定している。腕部１０は、例えば、Ｌ字の長辺側の部分が接触部８及び９の突出方向とは反対の方向に支持部７の他側面から突出する。Ｌ字の長辺側の部分は、２０ｃｍ程度の長さがあれば良い
【００３２】
次に、図７乃至図１０を参照し、上記取付治具を使用してクリップガイド６をガイドレール５に取り付ける方法について、具体的に説明する。図７乃至図１０は、この発明の実施の形態１における取付治具の使用方法を説明するための図である。以下に説明する作業手順は、エスカレータの据付時、保守時、改修時等に行われるものである。
【００３３】
欄干３の縁部には、ガイド装置４のガイドレール５が固定されている。
先ず、図７に示すように、クリップガイド６の爪部６ｂと手摺案内部６ａの他縁部との間から、クリップガイド６の内部の空間にガイドレール５のガイド部５ｂを差し込む。この作業は、例えば、作業者が手で行う。これにより、クリップガイド６は、爪部６ｂの先端部がガイド部５ｂの上面に上方から接触し、手摺案内部６ａの他縁部がガイド部５ｂの下面に下方から接触するように、ガイド部５ｂに対して斜めに配置される。
【００３４】
次に、接触部８の上記一面がクリップガイド６に対して上方から、接触部９の上記一面がクリップガイド６に対して下方から対向するように、接触部８の上記一面と接触部９の上記一面との間にクリップガイド６を配置する。更に、かかる状態で支持部７をクリップガイド６側に移動させ、支持部７の一側面をクリップガイド６の手摺案内部６ａの湾曲する部分に接触させる。
【００３５】
クリップガイド６及び取付治具を図８に示す状態に配置すると、接触部８の先端部は、クリップガイド６の手摺案内部６ａの一縁部に沿うように配置される。また、接触部９の先端部は、手摺案内部６ａの他縁部に沿うように配置される。かかる状態から、クリップガイド６の内側に形成された空間にガイド部５ｂが配置されるように取付治具を移動させ、クリップガイド６をガイドレール５に固定する。
【００３６】
具体的には、先ず、取付治具を矢印Ｂの方向に移動させ、取付治具によってクリップガイド６をガイド部５ｂ側に押し込む。次に、支持部７をクリップガイド６に押し付けた点を支点にし、腕部１０を上方に持ち上げるように、取付治具を矢印Ｃの方向に回転させる。すると、てこの原理により、クリップガイド６の手摺案内部６ａの一縁部が、接触部９の先端部によってガイド部５ｂ側に押し付けられる。手摺案内部６ａの一縁部がガイド部５ｂ側に押し付けられることにより、爪部６ｂがガイドレール５の支持部５ａを乗り越えて、爪部６ｂが支持部５ａの上端に引っ掛かる（図９参照）。これにより、クリップガイド６がガイドレール５に強固に固定される。
【００３７】
クリップガイド６のある箇所をガイド部５ｂに固定すると、次に、その隣の箇所をガイド部５ｂに固定する。かかる場合、作業者は、図１０に示すように取付治具を矢印Ｄ方向にスライド移動させて、上記と同様の動作を行う。支持部７の一側面は端部が傾斜しているため、支持部７の一側面中央部がクリップガイド６に接触しても、その端部はクリップガイド６に接触しない。このため、取付治具をスライド移動させる時に、支持部７がクリップガイド６に引っ掛かることはなく、クリップガイド６の表面に傷を付けてしまう恐れもない。
【００３８】
上記取付治具を用いることにより、クリップガイド６をガイドレール５のガイド部５ｂに簡単に取り付けることができるようになる。クリップガイド６が硬くなる冬場等でも、作業効率が低下することはない。
【００３９】
上記取付作業を行う場合、作業者は、片方の手でクリップガイド６の内部の空間にガイド部５ｂを差し込みながら、もう一方の手で取付治具を使用しても良い。接触部９がクリップガイド６に下方から接触するため、このような動作を行っても、取付作業時に取付治具がクリップガイド６から外れることはなく、作業効率を大幅に向上させることができる。
【００４０】
図１１は取付治具の他の例を示す正面図である。
図１１に示す例では、作業員が持つ腕部１０ａが直線状を呈する。その他の構成は、図４乃至図６に示す構成と同じである。かかる場合、腕部１０ａの一端部を支持部７の他側面に対向させた状態で、固定具１１ａ及び１１ｂによって支持部７と腕部１０ａとを共締めし、腕部１０ａを支持部７に固定する。腕部１０ａは、接触部８及び９の突出方向と直交する方向に支持部７から突出する。
【００４１】
このような構成を採用しても、上記と同様の効果を奏することができる。また、ガイドレール５の側方に十分な作業スペースが確保されていない場合であっても、クリップガイド６の取付作業を行うことができる。ガイドレール５の直ぐ近くに壁等が存在する場合に、特に有効な手段となり得る。
【００４２】
本取付治具は、エスカレータだけでなく、他の種類のマンコンベアにおいても使用することができる。例えば、取付治具は、同一階床間の移動の際に利用される動く歩道においても、同様に使用することができる。
【符号の説明】
【００４３】
１  ステップ
２  移動手摺
３  欄干
４  ガイド装置
５  ガイドレール
５ａ  支持部
５ｂ  ガイド部
６  クリップガイド
６ａ  手摺案内部
６ｂ  爪部
７  支持部
８、９  接触部
１０、１０ａ  腕部
１１ａ、１１ｂ  固定具
【図１】
2014065562.tif 000003
【図２】
2014065562.tif 000004
【図３】
2014065562.tif 000005
【図４】
2014065562.tif 000006
【図５】
2014065562.tif 000007
【図６】
2014065562.tif 000008
【図７】
2014065562.tif 000009
【図８】
2014065562.tif 000010
【図９】
2014065562.tif 000011
【図１０】
2014065562.tif 000012
【図１１】
2014065562.tif 000013